(57)【要約】      （修正有）【課題】複数の文字からなる文字列を用いて装飾された装飾部を備える装身具を提供する。【解決手段】装身具１を構成する装飾部２を、複数の文字のそれぞれを装飾する第１〜第５装飾部２Ｊ，２Ｏ，２Ｋ，２Ｅ，２Ｒ及び任意のマークを装飾する第６装飾部２Ｘを連接して形成される文字列を用いて装飾し、金属を用いて一体形成することで作成する。これにより、装飾部２に複数の文字からなる文字列を用いて微細な装飾を施すことができ、その装飾部２を備える装身具を提供することが可能となる。一体形成するためには、隣接する文字の一部を互いに重ねることで連接部３ａ，３ｂ，３ｃ，３ｄ，３ｅ，３ｆを有することができる。【選択図】図１
0003189019.tif 000002
【実用新案登録請求の範囲】
【請求項１】
複数の文字を連接して形成される文字列を用いて装飾される装飾部を備え、
前記装飾部は、金属を用いて一体形成される金属片であることを特徴とする装身具。
【請求項２】
前記文字列は、前記複数の文字のうちの少なくとも一組の隣接する文字を該文字の一部を互いに重ねることで連接されることを特徴とする、請求項１に記載の装身具。
【請求項３】
前記装飾部は、前記複数の文字のうちの少なくとも一組の隣接する文字を連接する連接部を有することを特徴とする、請求項１又は２に記載の装身具。
【請求項４】
前記連接部は、前記複数の文字が並列する方向に延びる線状部材であり、該線状部材の幅は前記複数の文字の線幅よりも小さいことを特徴とする、請求項３に記載の装身具。
【請求項５】
前記装飾部は、ロストワックス法により形成されることを特徴とする、請求項１〜４のいずれか一項に記載の装身具。
【考案の詳細な説明】
【技術分野】
【０００１】
本考案は、複数の文字からなる文字列を用いて装飾された装身具に関する。
【背景技術】
【０００２】
従来、名前、イニシャル、記念日の日付等を意味する複数の文字（数字等を含む）からなる文字列を用いて装飾が施されたネックレス、イヤリング、ブレスレット、ネクタイピン等の装身具が提供されている。例えば、特許文献１に開示される装身具では、その装飾部を構成する基材上に複数の文字の装飾が施される。
【先行技術文献】
【特許文献】
【０００３】
【特許文献１】特開平０６−３２０８９８号公報
【考案の概要】
【考案が解決しようとする課題】
【０００４】
本考案は、基材を用いることなく、複数の文字からなる文字列を用いて装飾された装飾部を備える装身具を提供することを課題とする。
【課題を解決するための手段】
【０００５】
本考案は、複数の文字を連接して形成される文字列を用いて装飾される装飾部を備える装身具であり、前記装飾部は金属を用いて一体形成される金属片であることを特徴とする。
【０００６】
これによれば、金属を用いて金属片に一体形成することで、複数の文字からなる文字列を用いて微細な装飾が施された装飾部を形成することができる。
【０００７】
本考案の装身具は、前記文字列は、前記複数の文字のうちの少なくとも一組の隣接する文字の一部を互いに重ねることで連接されることを特徴とする。
【０００８】
これによれば、文字の一部を互いに重ねて隣接する文字を連接することで、装飾部を複数の文字からなる文字列を用いて一体形成することができる。
【０００９】
本考案の装身具は、前記装飾部は、前記複数の文字のうちの少なくとも一組の隣接する文字を連接する連接部を有することを特徴とする。
【００１０】
これによれば、連接部により隣接する文字を連接することで、装飾部を複数の文字からなる文字列を用いて一体形成することができる。
【００１１】
本考案の装身具は、前記連接部は、前記複数の文字が並列する方向に延びる線状部材であり、該線状部材の幅は前記複数の文字の線幅よりも小さいことを特徴とする。
【００１２】
これによれば、線状部材の幅は文字列の線幅よりも小さいことで、連接部が文字列に含まれる複数の文字を構成を壊すことなく、読み取り可能に連接する。
【００１３】
本考案の装身具は、前記装飾部は、ロストワックス法により形成されることを特徴とする。
【００１４】
これによれば、ロストワックス法を用いることで微細な装飾を正確に再現することができる。
【考案の効果】
【００１５】
本考案によれば、複数の文字からなる文字列を用いて微細な装飾が施された装飾部を備える装身具を提供することができる。
【図面の簡単な説明】
【００１６】
【図１】図１は、第１の実施形態に係る装身具の装飾部の構成を示す図である。
【図２】図２は、第２の実施形態に係る装身具の装飾部の構成を示す図である。
【考案を実施するための形態】
【００１７】
《第１の実施形態》
以下、本考案の第１の実施形態について、図１を用いて説明する。
【００１８】
図１に、第１の実施形態に係る装身具１の特に装飾部２の構成を示す。装飾部２は、一例として、文字列「ＪＯＫＥＲ」を用いて装飾するものとする。装飾部２は、文字列に含まれる複数の文字のそれぞれを装飾する第１〜第５装飾部２Ｊ，２Ｏ，２Ｋ，２Ｅ，２Ｒ、及び任意のマークを装飾する第６装飾部２Ｘから構成される。
【００１９】
第１〜第５装飾部２Ｊ，２Ｏ，２Ｋ，２Ｅ，２Ｒは、文字列「ＪＯＫＥＲ」に含まれる文字「Ｊ」、「Ｏ」、「Ｋ」、「Ｅ」、及び「Ｒ」をそれぞれ装飾する。ここで、互いに隣接する装飾部は、装飾する文字の一部を互いに重ねることで連接する。第１及び第２装飾部２Ｊ，２Ｏは、連接部３ａにより、文字「Ｊ」の右縁と文字「Ｏ」の左側湾曲部とを互いに重ねることで連接する。第２及び第３装飾部２Ｏ，２Ｋは、連接部３ｂにより、文字「Ｏ」の右側湾曲部と文字「Ｋ」の左縁とを互いに重ねることで連接する。第３及び第４装飾部２Ｋ，２Ｅは、連接部３ｃにより、文字「Ｋ」の右下隅と文字「Ｅ」の左下隅とを互いに重ねることで連接する。第４及び第５装飾部２Ｅ，２Ｒは、連接部３ｄにより、文字「Ｅ」の右下隅と文字「Ｒ」の左下隅とを互いに重ねることで連接する。それにより、第１〜第５装飾部２Ｊ，２Ｏ，２Ｋ，２Ｅ，２Ｒが一体的に連接する。
【００２０】
第６装飾部２Ｘは、一例として道化師のかぶる帽子のマークを装飾する。第６装飾部２Ｘは、連接部３ｅ，３ｆにより、その一部を文字「Ｅ」，「Ｒ」の上縁と重ねることで第４，第５装飾部２Ｅ，２Ｒと連接する。
【００２１】
リング４，５は、Ｏ形状のリングであり、それぞれの一部を第１装飾部２Ｊが装飾する文字「Ｊ」の左縁及び第５装飾部２Ｒが装飾する文字「Ｒ」の右側湾曲部に連接する。
【００２２】
リング４，５に、それぞれ、ネックレス、ブレスレット等の本体（チェーン（不図示））の一端及び他端を取り付けることで、それら装身具１を構成する。なお、リング４，５は、一方のみを第１装飾部２Ｊ又は第５装飾部２Ｒに連接することとしてもよい。その一方のリングに、イヤリング、ネクタイピン等の本体をチェーン、リング等の接続部材を介して取り付けることで、それら装身具１を構成する。
【００２３】
装飾部２は、ロストワックス法により、金属を用いて金属片として一体形成される。例えば、ブロック状ワックスを削って装飾部２の原型を作る。その原型に湯道を接続し、石膏を用いて塗り固めて焼成する。それにより、溶けたワックスが湯道から流れ出ることで石膏から原型が除去され、型が完成する。その型に、湯道から高温で溶けた金属を流し込み、冷却後、型を除去する。それにより、原型と同じ形状の金属片として装飾部２が成形されることで、微細な装飾が正確に再現される。
【００２４】
以上詳細に説明したように、本実施形態の装身具１によれば、これを構成する装飾部２を複数の文字を連接して形成される文字列を用いて装飾し、金属を用いて一体形成することで作成される。これにより、基材を用いることなく、装飾部２に複数の文字からなる文字列を用いて微細な装飾を施すことができ、その装飾部２を備える装身具を提供することが可能となる。
【００２５】
また、本実施形態の装身具１によれば、複数の文字のうちの少なくとも一組の隣接する文字の一部を互いに重ねて連接することで、装飾部２を複数の文字からなる文字列を用いて一体形成することが可能となる。
【００２６】
《第２の実施形態》
以下、本考案の第２の実施形態について、図２を用いて説明する。第２の実施形態に係る装身具１’（装飾部２’）は、第１の実施形態に係る装身具１（装飾部２）に類似する構成を有するため、それらの差異のみに注目することとする。
【００２７】
図２に、第２の実施形態に係る装身具１’の特に装飾部２’の構成を示す。装飾部２’は、第１の実施形態と同様に、文字列「ＪＯＫＥＲ」を用いて装飾するものとする。装飾部２’は、文字列に含まれる複数の文字のそれぞれを装飾する第１〜第５装飾部２Ｊ，２Ｏ，２Ｋ，２Ｅ，２Ｒ、一例として道化師のかぶる帽子のマークを装飾する第６装飾部２Ｘ、及び連接部材３ｇから構成される。
【００２８】
連接部材３ｇは、一例として直線形状を有し、一定の間隔を設けて並列する第１〜第５装飾部２Ｊ，２Ｏ，２Ｋ，２Ｅ，２Ｒを、それらの中央を並列する方向に延びることで連接する。ここで、連接部材３ｇの幅は、第１〜第５装飾部２Ｊ，２Ｏ，２Ｋ，２Ｅ，２Ｒがそれぞれ装飾する文字の線幅より小さいものとする。それにより、連接部材３ｇが複数の文字を、それらの構成を壊すことなく読み取り可能に連接することができる。
【００２９】
なお、連接部材３ｇは、第１〜第５装飾部２Ｊ，２Ｏ，２Ｋ，２Ｅ，２Ｒの中央に限らず、下端或いは上端等、任意の位置を並列する方向に延びることで、それらを連接することとしてもよい。また、連接部材３ｇは、直線形状に限らず、円形状等、任意の形状を有することとしてもよい。例えば、円形状の連接部材３ｇに対して、その外周囲又は内周囲に第１〜第５装飾部２Ｊ，２Ｏ，２Ｋ，２Ｅ，２Ｒの下端又は上端が接続される。
【００３０】
装飾部２’は、第１の実施形態と同様に、ロストワックス法により金属を用いて金属片として一体形成される。
【００３１】
以上詳細に説明したように、本実施形態の装身具１’によれば、第１の実施形態と同様の効果が得られる。
【００３２】
また、本実施形態の装身具１’によれば、連接部材３ｇを用いて、複数の文字のうちの少なくとも一組の隣接する文字を連接することで、装飾部２’を複数の文字からなる文字列を用いて一体形成することが可能となる。なお、複数の文字のうちの少なくとも一組の隣接する文字を連接部材３を用いて連接し、残りの文字をそれらの一部を互いに重ねて連接することで、装飾部２’を一体形成することとしてもよい。
【００３３】
なお、複数の文字からなる文字列として、それら複数の文字を筆記体等、連続する書体において表した文字列を採用し、装飾部２，２’を一体形成することとしてもよい。その際、英語であれば文字「ｉ」及び「ｊ」における点が連接していないが、これらの点について、連接部材を用いて装飾部２，２’に連接する、又は星型等の象形により表し、連接部材を用いて若しくは用いないで直接、装飾部２，２’に連接することとしてもよい。フランス語のアクサン、ドイツ語のウムラウト等についても同様である。
【産業上の利用可能性】
【００３４】
本考案の装身具は、それを構成する装飾部に複数の文字からなる文字列を用いて微細な装飾を施すのに好適である。
【符号の説明】
【００３５】
１，１’  装身具
２，２’  装飾部
２Ｊ  第１装飾部
２Ｏ  第２装飾部
２Ｋ  第３装飾部
２Ｅ  第４装飾部
２Ｒ  第５装飾部
２Ｘ  第６装飾部
３    連接部（連接部材）
４，５  リング
【図１】
0003189019.tif 000003
【図２】
0003189019.tif 000004